(57)【特許請求の範囲】
【請求項１】
端末装置が、予め規定された選択規則又は基地局から送信される高層シグナル所持の搬送波選択指示情報もしくはPDCCHシグナル所持の搬送波選択指示情報を受信することにより、自装置の上りメンバー搬送波セットの中から一つの上りメンバー搬送波を選択することと、
前記端末装置が、前記選択した上りメンバー搬送波のPUSCHで前記基地局にUCIを送信することと、を含み、
前記予め規定された選択規則が、前記端末装置が前記上りメンバー搬送波セットの中から上り主搬送波を優先的に選択することを規定すること、又は、
前記予め規定された選択規則が、前記端末装置の上り主搬送波にPUSCH伝送がある場合、前記端末装置が前記上りメンバー搬送波セットの中から上り主搬送波を優先的に選択することを規定すること、又は、
前記高層シグナル所持の搬送波選択指示情報又は前記PDCCHシグナル所持の搬送波選択指示情報が、前記端末装置が前記上りメンバー搬送波セットの中から上り主搬送波を優先的に選択することを指示すること、
を特徴とする一種のUCI伝送の配置方法。
【請求項２】
前記端末装置が、前記選択した上りメンバー搬送波のPUSCHで前記基地局にUCIを送信することは、具体的に、
当面の上りサブフレームで、前記選択した上りメンバー搬送波にPUSCH伝送がある場合、前記端末装置が選択した上りメンバー搬送波のPUSCHで前記基地局にUCIを伝送し、前記選択した上りメンバー搬送波以外の上りメンバー搬送波にも同じくPUSCH伝送がある場合、前記選択した上りメンバー搬送波以外の上りメンバー搬送波のPUSCHで前記基地局に上りデータ情報だけを送信し、
当面の上りサブフレームで、前記選択した上りメンバー搬送波にPUSCH伝送がない場合、前記端末装置の上り主搬送波のPUCCHで前記基地局にUCIを伝送し、前記端末装置が選択した上りメンバー搬送波以外の上りメンバー搬送波にPUSCH伝送がある場合、前記端末装置が選択した上りメンバー搬送波以外の上りメンバー搬送波のPUSCHで前記基地局に上りデータ情報だけを伝送する、
ことを特徴とする請求項1記載の方法。
【請求項３】
予め規定された選択規則又は基地局から送信される高層シグナル所持の搬送波選択指示情報もしくはPDCCHシグナル所持の搬送波選択指示情報を受信する受信モジュールと、
前記受信モジュールが受信した前記選択規則又は前記搬送波選択指示情報に基づいて、自身の上りメンバー搬送波セットの中から一つの上りメンバー搬送波を選択する選択モジュールと、
前記選択モジュールにより選択された上りメンバー搬送波のPUSCHで前記基地局にUCIを伝送する伝送モジュールと、を含み、
前記予め規定された選択規則が、自装置が前記上りメンバー搬送波セットの中から上り主搬送波を優先的に選択することを規定すること、又は、
前記予め規定された選択規則が、前記自装置の上り主搬送波にPUSCH伝送がある場合、前記自装置が前記上りメンバー搬送波セットの中から上り主搬送波を優先的に選択することを規定すること、又は、
前記受信モジュールが受信した前記高層シグナル所持の搬送波選択指示情報又は前記PDCCHシグナル所持の搬送波選択指示情報が、前記自装置が前記上りメンバー搬送波セットの中から上り主搬送波を優先的に選択することを指示すること、
を特徴とする一種の端末装置。
【請求項４】
前記伝送モジュールは、
当面の上りサブフレームで、前記選択モジュールにより選択された上りメンバー搬送波にPUSCH伝送がある場合、前記選択モジュールにより選択された上りメンバー搬送波のPUSCHで前記基地局にUCIを伝送し、前記選択モジュールにより選択された上りメンバー搬送波以外の上りメンバー搬送波にも同じくPUSCH伝送がある場合、前記選択モジュールにより選択された上りメンバー搬送波以外の上りメンバー搬送波のPUSCHで上りデータ情報だけを伝送し、
当面の上りサブフレームで、前記選択モジュールにより選択された上りメンバー搬送波にPUSCH伝送がない場合、前記端末装置の上り主搬送波のPUCCHで前記基地局にUCIを伝送し、前記選択モジュールにより選択された上りメンバー搬送波以外の上りメンバー搬送波にPUSCH伝送がある場合、前記選択モジュールにより選択された上りメンバー搬送波以外の上りメンバー搬送波のPUSCHで上りデータ情報だけを伝送する、
ことを特徴とする請求項3記載の端末装置。
【請求項５】
基地局が予め規定された選択規則又は端末装置の配置状況と当面のスケジューリング状況によって、前記端末装置の上りメンバー搬送波セットの中から一つの上りメンバー搬送波を選択することと、
前記基地局が選択した上りメンバー搬送波のPUSCHで前記端末装置により伝送されたUCIを受信することと、
を含み、
前記端末装置の上りメンバー搬送波セットの中から一つの上りメンバー搬送波を選択することは、具体的に、
前記基地局が前記端末装置と予め選択規則を規定した場合、前記選択規則により前記端末装置の上りメンバー搬送波セットの中から一つの上りメンバー搬送波を選択すること、又は、
前記基地局が前記端末装置の配置状況と当面のスケジューリング状況によって、前記端末装置の上りメンバー搬送波セットの中から一つの上りメンバー搬送波を選択し、高層シグナルで前記端末装置に搬送波選択指示情報を発送して、選択した結果を前記端末装置に通知すること、又は、
前記基地局が前記端末装置の配置状況と当面のスケジューリング状況によって、前記端末装置の上りメンバー搬送波セットの中から一つの上りメンバー搬送波を選択し、PDCCHで前記端末装置に搬送波選択指示情報を発送して、選択した結果を前記端末装置に通知すること、を含み、
前記予め規定された選択規則が、前記基地局が前記端末装置の上りメンバー搬送波セットの中から上り主搬送波を優先的に選択することを規定すること、又は、
前記予め規定された選択規則が、前記基地局が前記端末装置の上り主搬送波にPUSCH伝送をスケジューリングした場合、前記基地局が前記端末装置の上りメンバー搬送波セットの中から上り主搬送波を優先的に選択することを規定すること、又は、
前記基地局が前記端末装置の配置状況と当面のスケジューリング状況によって、前記端末装置の上りメンバー搬送波セットの中から上り主搬送波を優先的に選択すること、
を特徴とする一種のUCI伝送の配置方法。
【請求項６】
前記基地局が選択した上りメンバー搬送波のPUSCHで前記端末装置により伝送されたUCIを受信することは、具体的に、
当面の上りサブフレームで、前記基地局が選択した上りメンバー搬送波にPUSCH伝送をスケジューリングした場合、前記基地局が選択した上りメンバー搬送波のPUSCHで前記端末装置により伝送されたUCIを受信し、前記基地局が選択した上りメンバー搬送波以外の上りメンバー搬送波に同じくPUSCH伝送をスケジューリングした場合、前記基地局は、前記基地局が選択した上りメンバー搬送波以外の上りメンバー搬送波のPUSCHだけで上りデータ情報を受信すること、又は、
当面の上りサブフレームで、前記基地局が選択した上りメンバー搬送波でPUSCH伝送をスケジューリングしていない場合、前記基地局が上り主搬送波のPUCCHで前記端末装置により伝送されたUCIを受信し、前記基地局が選択した上りメンバー搬送波以外の上りメンバー搬送波でPUSCH伝送をスケジューリングした場合、基地局は、前記基地局が選択した上りメンバー搬送波以外の上りメンバー搬送波のPUSCHで上りデータ情報を受信すること、
を特徴とする請求項5記載の方法。
【請求項７】
予め規定した選択規則又は端末装置の配置状況及び当面のスケジューリング状況によって、前記端末装置の上りメンバー搬送波セットの中から一つの上りメンバー搬送波を選択する選択モジュールと、
前記選択モジュールにより選択された上りメンバー搬送波のPUSCHで前記端末装置により伝送されたUCIを受信する受信モジュールと、
前記選択モジュールが、前記端末装置の配置状況と当面のスケジューリング状況に基づいて、前記端末装置の上りメンバー搬送波セットの中から一つの上りメンバー搬送波を選択した後、高層シグナル又はPDCCHシグナルで搬送波選択指示情報を前記端末装置に送信し、前記選択モジュールにより選択された結果を前記端末装置に通知する送信モジュールと、を含み、
前記予め規定した選択規則が、自機が前記端末装置の上りメンバー搬送波セットの中から上り主搬送波を優先的に選択することを規定すること、又は、
前記予め規定した選択規則が、前記自機が前記端末装置の上り主搬送波でPUSCH伝送をスケジューリングした場合、前記自機が前記端末装置の上りメンバー搬送波セット中から上り主搬送波を選択することを規定すること、又は、
前記選択モジュールが、前記端末装置の配置状況と当面のスケジューリング状況に基づいて、前記端末装置の上りメンバー搬送波セットの中から上り主搬送波を優先的に選択すること、
を特徴とする一種の基地局。
【請求項８】
前記受信モジュールが、具体的に、
当面の上りサブフレームで、前記基地局が前記選択モジュールにより選択された上りメンバー搬送波にPUSCH伝送をスケジューリングした場合、前記選択モジュールにより選択された上りメンバー搬送波のPUSCHで前記端末装置により伝送されたUCIを受信し、前記基地局が前記選択モジュールにより選択された上りメンバー搬送波以外の上りメンバー搬送波で同じくPUSCH伝送をスケジューリングした場合、前記選択モジュールにより選択された上りメンバー搬送波以外のメンバー搬送波のPUSCHで上りデータ情報だけを受信すること、又は、
当面の上りサブフレームの中で、前記基地局が前記選択モジュールにより選択された上りメンバー搬送波にPUSCH伝送をスケジューリングしていない場合、前記選択モジュールにより選択された上り主搬送波のPUCCHで前記端末装置により伝送されたUCIを受信し、前記基地局が前記選択モジュールにより選択された上りメンバー搬送波以外の上りメンバー搬送波にPUSCH伝送をスケジューリングした場合、前記選択モジュールにより選択された上りメンバー搬送波以外のメンバー搬送波のPUSCHで上りデータ情報だけを受信すること、
を特徴とする請求項7記載の基地局。
【発明の詳細な説明】
【技術分野】
【０００１】
本発明は、通信技術分野における特に一種のUCI伝送の配置方法と設備に係る。
【背景技術】
【０００２】
LTE-A（Long Term Evolution Advanced、長期進化アップグレード）システムは、LTE（Long Term Evolution、長期進化）システムより広いシステム帯域幅を持ち、例えば、直接100MHzの帯域幅の周波数スペクトルを割り当てることができ、図1で示す通りである。また、CA（Carrier Aggregation、搬送波重合）技術は、既存システムに割り当てられた周波数スペクトルを重合して、大きな帯域幅にして長期進化マルチ搬送波システムの使用に備えることができる。この場合、システムで上りと下りの搬送波を非対称としても良い。即ち、ユーザは、N≧1個の搬送波を占用して下り伝送を行い、M≧1個の搬送波を占用して上り伝送を行うことが可能である。図2で示す通りである。
【０００３】
UCI（Uplink Control Information、上り制御情報）は、CQI（Channel Quality Indicator、信号チャネル品質指示）/PMI（Precoding Matrix Indicator、プリコーディングのマトリックス・インジケータ）/RI（Rank Indicator、ランク指示）及びACK（Acknowledgement、肯定応答）/NACK（Negative Acknowledgement、否定応答）フィードバック情報である。LTE バージョン8（Release 8、Rel-8と略称する）システムの中で、UCIをPUCCH（Physical Uplink Control Channel、物理上り制御信号チャネル）で伝送してもいいし、PUSCH（Physical Uplink Shared Channel、物理上り共有信号チャネル）とデータ多重化伝送をしても良い。CQI/PMI/RI情報の非周期報告はPUSCHで伝送され、UL grant （Uplink grant，上りスケジューリング許可）の1bit CQI request情報に触発される。UEは、UL grantで当該情報位置1を検知すると、予め配置されるフィードバックモードで関連CQI/PMI/RI情報を組織して、PUSCHに多重化して伝送を行い、さもなければ伝送しない。CQI/PMI/RI情報の周期性報告は、予め配置された報告周期によってPUCCHで伝送を行う。ACK/NACKのフィードバック情報は、具体的なスケジューリングによってPUCCH又はPUSCHで伝送するよう確定できる。
【０００４】
LTE-Aシステムは、LTEシステムと両立性を保持し、UCIのPUCCH及び/又はPUSCHで伝送を行う。LTE-Aシステムは、現在、最大五つの搬送波の多重化を行うことができるとされ、即ち、同一の上りサブフレーム内で、一つのUEが同場合に複数のPUSCHスケジューリング伝送を持つことができる。また、LTE-Aシステムは、現在、一つの上りサブフレーム内で、UCIを一つのPUSCHだけで伝送できることが確定された。従って、UEが一つの上りサブフレーム内でPUSCHを通じてUCIを伝送する場合に、どちらのPUSCHでUCI伝送を行うか確定する必要がある。
【発明の概要】
【発明が解決しようとする課題】
【０００５】
本発明の実施形態を実現するプロセスで、申請者は、従来技術に少なくとも下記の問題があるのを発見した。
LTE-A搬送波重合システムにおいて、一つの上りサブフレームの内に複数のPUSCHスケジューリング伝送の可能性がある。UEがPUSCHを通じてUCIを伝送する場合、UCIをどのPUSCHで伝送するか、どのように確定するかとの問題についてはまだ明確な方案がない。
【課題を解決するための手段】
【０００６】
本発明の実施形態は、一種のUCI伝送の配置方法と装置を提供することで、複数のPUSCH伝送が存在する場合、UCIをどのPUSCHで伝送するかという問題を解決できるようにする。
【０００７】
また、前記目的を達成するために、本発明の実施形態は、一種のUCI伝送の配置方法を提供する。
端末装置が、予め規定した選択規則又は基地局からの搬送波選択指示情報を受信することにより、自身の上りメンバー搬送波セットの中から一つの上りメンバー搬送波を選択することと、
前記端末装置が、前記選択した上りメンバー搬送波のPUSCHを通じて、基地局にUCIを伝送すること。
【０００８】
また、本発明の実施形態は一種の端末装置も提供する。具体的には、
予め規定した選択規則又は基地局所からの搬送波選択指示情報を受信することにより、自身の上りメンバー搬送波セットの中から一つの上りメンバー搬送波を選択する選択モジュールと、
前記選択モジュールにより選択した上りメンバー搬送波のPUSCHを通じて基地局にUCIを送信する送信モジュール。
【０００９】
また、本発明の実施形態は一種のUCI伝送の配置方法を提供する。具体的には、
基地局が予め規定した選択規則又は端末装置の配置状況と当面のスケジューリング状況によって、前記端末装置の上りメンバー搬送波セットの中から一つの上りメンバー搬送波を選択することと、
前記基地局が選択した上りメンバー搬送波のPUSCHを通じて端末装置により伝送されたUCIを受けること。
【００１０】
また、本発明の実施形態は一種の基地局も提供する。具体的に、
予め規定した選択規則又は端末装置の配置状況及び当面のスケジューリング状況によって、端末装置の上りメンバー搬送波セットの中から一つの上りメンバー搬送波を選択する選択モジュールと、
前記選択モジュールにより選択した上りメンバー搬送波のPUSCHを通じて端末装置により伝送されたUCIを受信する受信モジュール。
【発明の効果】
【００１１】
従来技術と比べると、本発明の実施形態は少なくとも下記の優位性を持つ。
本発明の実施形態の技術方案の応用を通じて、LTE-A搬送波重合システムの中で、UEが一つの上りサブフレームで複数のPUSCHスケジューリング伝送が存在する場合、UEが一つのPUSCHでUCI伝送する方案を実現し、それにLTE-Aシステムで、一つの上りサブフレームに同時に複数のPUSCH伝送が存在する場合、UEがどのように一つのPUSCHだけでUCIを伝送するかという問題を解決した。
【図面の簡単な説明】
【００１２】
【図１】従来技術の単周波数スペクトルシステムを示す図である。
【図２】従来技術の周波数スペクトル重合システムを示す図である。
【図３】本発明実施形態で提出した一種のUCI伝送の配置方法のフローを示す図である。
【図４】本発明実施形態で提出した一種のUCI伝送の配置方法の基地局側のフローを示す図である。
【図５】本発明実施形態で提出した一種の端末装置の構造を示す図である。
【図６】本発明実施形態で提出した一種の基地局的構造を示す図である。
【発明を実施するための形態】
【００１３】
本発明の実施形態又は従来技術の技術方案をもっとはっきり説明するために、次に、実施形態又は従来技術の説明に必要な添付図で簡単に説明するが、はっきり見えるように、下記の添付図は本発明実施形態の一部分だけで、本技術分野の普通の技術者にとっては、創造性労働を行わなくても、これらの添付図によりその他の添付図を取れる。
【００１４】
次に、本発明の実施形態の添付図を参照して、本発明の実施形態の技術案に対して明らか且つ完全に説明する。もちろん、次に説明する実施形態はただ本発明の実施形態の一部分だけであり、実施形態の全部ではない。本発明の実施形態に基づいて、本分野の普通の技術者が創造的労働を行わない前提で取得したその他の実施形態は、すべて本発明の実施形態の保護範囲に属すべきである。
【００１５】
背景技術で説明したように、LTE-Aシステムでは、UEは複数の多重上りメンバー搬送波で同時に伝送するのができるので、一つの上りサブフレームで、複数の上りメンバー搬送波に複数のPUSCH伝送を同時にすることができる。LTE-Aシステムは、LTE システムと両立し、PUSCHでのUCI伝送を支持し、また、一つの上りサブフレームで、UCIが一つのPUSCHだけで伝送することを明確にした。UEはPUSCHでUCIを伝送する必要があり、また、同一の上りサブフレームに複数のPUSCH伝送が存在する場合、UCIをどのPUSCHで伝送するかについては、まだ明確な方案がない。
本発明の実施形態は、一種の配置UCIをPUSCHで伝送する方法を提供する。
【００１６】
図3は、本発明の実施形態で提出した一種のUCI伝送の配置方法のフローを示す図である。当該方法は具体的に下記の手順を含む。
手順S301、端末装置が予め規定した選択規則又は基地局所から発送した搬送波選択指示情報を受信することにより、自身の上りメンバー搬送波セットの中から一つの上りメンバー搬送波を選択する。
本手順の実現プロセスは、具体的に三種の状況に分けられるが、下記の通りである。
状況１、端末装置が基地局と予め選択規則を規定した場合、端末装置が選択規則によって自身の上りメンバー搬送波セットの中から一つの上りメンバー搬送波を選択する。
状況２、端末装置が基地局所から発送された高層シグナル所持の搬送波選択指示情報を受信することによって、自身の上りメンバー搬送波セットの中から一つの上りメンバー搬送波を選択する。
状況３、端末装置がPDCCHシグナル所持の搬送波選択指示情報を受信することによって、自身の上りメンバー搬送波セットの中から一つの上りメンバー搬送波を選択する。
前記の三種の状況の中で、相応な上りメンバー搬送波選択状況は下記の三種を含む。
（1）予め規定される選択規則として、端末装置が上りメンバー搬送波セットの中から上り主搬送波を優先的に選択することを規定すること、または、
（2）予め規定される選択規則として、端末装置の上り主搬送波にPUSCH伝送がある場合、端末装置が上りメンバー搬送波セットの上り主搬送波を優先的に選択することを規定すること。
端末装置の上り主搬送波にPUSCH伝送がない場合、予め選択規則を、端末装置が搬送波コードによって、PUSCH伝送のある上り補助搬送波から一つの上り補助搬送波を優先的に選択することと規定することもできる。例えば、PUSCH伝送のある搬送波コードの一番小さい上り補助搬送波を選択できる。
説明すべきなのは、前記方式は、如何なるシグナル通知も要らない。
（3）高層シグナル所持の搬送波選択指示情報又はPDCCHシグナル所持の搬送波選択指示情報は、端末装置が上りメンバー搬送波セットの中から上り主搬送波を優先的に選択することを指示する。
具体的な実施場面で、具体的にどの種類の選択状況を応用するかは、具体的な配置状況によって選択され、このような変化は本発明の保護範囲に影響を与えない。
手順S302、端末装置が選択された上りメンバー搬送波のPUSCHを通じて基地局にUCIを伝送する。
当面の上りサブフレームの中で、端末装置に選択された上りメンバー搬送波に、PUSCH伝送（相応なPDCCHのあるPUSCH及び相応なPDCCHのない半持続的なSPS PUSCHを含む）がある場合、端末装置が選択された上りメンバー搬送波のPUSCHを通じて基地局にUCIを伝送し、それに端末装置のその他の上りメンバー搬送波に同時にPUSCH伝送がある場合、端末装置がその他の上りメンバー搬送波のPUSCHで上りデータ情報だけ伝送する。又は、
当面の上りサブフレームで、端末装置の選択された上りメンバー搬送波にPUSCH伝送（PUSCHスケジューリング指示UL grantを受けていない又はPUSCHスケジューリング指示を紛失するという二つの状況を含む）がない場合、端末装置が上り主搬送波のPUCCHで基地局にUCIを伝送し、端末装置のその他の上りメンバー搬送波にPUSCH伝送がある場合、端末装置がその他の上りメンバー搬送波のPUSCHで上りデータ情報だけを伝送する。
【００１７】
前記プロセスは、本発明の実施形態で提出した一種のUCI伝送の配置方法の端末装置側の応用フローで、これと相応して、本発明の実施形態は更に本技術方案の基地局側の相応な処理プロセスについて下記の通り説明する。
図4は、本発明実施形態で提出した一種のUCI伝送の配置方法のネットワーク側のフローを示す図であり、具体的に、
手順S401、基地局が予め規定した選択規則又は端末装置の配置状況及び当面のスケジューリング状況によって、端末装置の上りメンバー搬送波セットの中から一つの上りメンバー搬送波を選択する。
本手順の実現プロセスは具体的に三種の状況に分けられるが、下記の通り説明する。
状況１、基地局が端末装置と予め選択規則を規定した場合、基地局が選択規則によって端末装置の上りメンバー搬送波セットの中から一つの上りメンバー搬送波を選択する。
状況２、基地局が端末装置の配置状況及び当面のスケジューリング状況によって、端末装置の上りメンバー搬送波セットの中から一つの上りメンバー搬送波を選択し、高層シグナルを通じて端末装置に搬送波選択指示情報を発送して、選択結果を端末装置に通知する。
状況３、基地局が端末装置の配置状況及び当面のスケジューリング状況によって、端末装置の上りメンバー搬送波セットの中から一つの上りメンバー搬送波を選択し、PDCCHを通じて端末装置に搬送波選択指示情報を発送して、選択結果を端末装置に通知する。
【００１８】
前記三種の状況の中で、相応な上りメンバー搬送波選択状況は下記三種を含む。
（1）予め規定される選択規則として、基地局が端末装置の上りメンバー搬送波セットの中から上り主搬送波を優先的に選択することを規定する。
（2）予め規定される選択規則として、基地局が端末装置の上り主搬送波でPUSCH伝送をスケジューリングした場合、基地局が端末装置的上りメンバー搬送波セットの中から上り主搬送波を優先的に選択するのを規定する。
予め規定する選択規則を、基地局が端末装置の上り主搬送波でPUSCH伝送をスケジューリングしなかった場合、基地局が搬送波コードによって、端末装置が、PUSCH伝送をスケジューリングした上り補助搬送波から一つの上り補助搬送波を優先的に選択することを規定することができる。例えば、スケジューリングしたPUSCHで伝送した搬送波コードの一番小さい上り補助搬送波を選択できる。
（3）基地局が端末装置の配置状況及び当面のスケジューリング状況によって、端末装置の上りメンバー搬送波セットの中から上り主搬送波を優先的に選択する。
具体的な実施場面の中で、具体に前記のどの種類の選択状況を応用するかについて、具体的な配置状況によって選択でき、このような変化は本発明の保護範囲に影響を与えない。
手順S402、基地局が選択した上りメンバー搬送波のPUSCHを通じて端末装置により伝送されたUCIを受ける。
当面の上りサブフレームの中で、基地局が選択した上りメンバー搬送波でPUSCH伝送（相応なPDCCHのあるPUSCHと相応なPDCCHのないSPSのPUSCH）をスケジューリングした場合、基地局が選択された上りメンバー搬送波のPUSCHを通じて端末装置により伝送されたUCIを受け、基地局が端末装置のその他の上りメンバー搬送波で同時にPUSCH伝送をスケジューリングした場合、基地局はその他の上りメンバー搬送波のPUSCHだけで上りデータ情報を受信する、又は、
当面の上りサブフレームの中で、基地局が、選択した上りメンバー搬送波でPUSCH伝送をスケジューリングしなかった場合、基地局が上り主搬送波のPUCCHを通じて端末装置により伝送したUCIを受け、それに、基地局が端末装置のその他の上りメンバー搬送波でPUSCH伝送をスケジューリングした場合、基地局はその他の上りメンバー搬送波のPUSCHだけで上りデータを受信する。
【００１９】
従来技術と比べると、本発明の実施形態は下記の優位性を持つ。
本発明の実施形態の技術方案の応用を通じて、LTE-A搬送波多重システムにおいて、UEが一つの上りサブフレームに複数のPUSCHスケジューリング伝送が存在する場合に、UEが一つのPUSCHでUCI伝送する方案を実現し、これにより、LTE-Aシステムにおいて、一つの上りサブフレームに複数のPUSCH伝送が同時に存在する場合、UEがどのように一つのPUSCHでUCIを伝送するかという問題を解決した。
【００２０】
次に、具体的な応用場面に結びつけて、本発明の実施形態により提出される技術方案を説明する。
以上の説明から分かるように、LTE-A搬送波多重システムの中で、UEの複数の上りメンバー搬送波に複数のPUSCH伝送が同時に存在する可能性があり、UEがPUSCHでUCIを伝送する場合に、UEが、具体的にUCIを伝送するPUSCHを確定する必要もあって、前記三種の状況と相応して、PUSCHの確定方法は下記の内容を含む。
方法１、基地局とUEが予め上りメンバー搬送波セット（Uplink Common Carrier Set，UL CC Set）にスケジューリングした一つの上りメンバー搬送波のPUSCHがUCIを伝送し、余分なシグナル通知が要らないよう規定し、その中で、優先的に上り主搬送波スケジューリングしたPUSCHがUCIを伝送するよう規定する。上り主搬送波にPUSCH伝送がない場合、基地局とUEが予め、搬送波コードによってPUSCH伝送のある上り補助搬送波から一つの上り補助搬送波を選択することを規定できる。例えば、予めPUSCH伝送のある搬送波コードの一番小さい上り補助搬送波のPUSCHを通じてUCIを伝送することを規定できる。
方法２、基地局がUE配置状況と実際スケジューリング状況によって、上りメンバー搬送波セット（UL CC Set）にスケジューリングした一つの上りメンバー搬送波のPUSCHを通じてUCIを伝送し、それに高層シグナルを通じて半静態方式でUEに通知するよう確定する。その中で、優先に上り主搬送波にスケジューリングしたPUSCHを通じてUCIを伝送するよう配置する。
方法３、基地局がUE配置状況及び実際スケジューリング状況によって、上りメンバー搬送波セット（UL CC Set）にスケジューリングした一つの上りメンバー搬送波のPUSCHを通じてUCIを伝送するよう確定し、それにPDCCHを通じて動態にUEに通知して、その中で上り主搬送波にPUSCHスケジューリングが存在する場合、上り主搬送波にスケジューリングしたPUSCHを通じて優先的にUCIを伝送することを配置する。
【００２１】
これと相応して、前記通知フロー処理が完成した後、選択された上りメンバー搬送波が上り主搬送波であるかどうか、及び当面のサブフレームで当該上りメンバー搬送波にPUSCHが存在するかどうかによって、本発明の実施形態が具体的なUCI伝送プロセスについて下記のように説明する。
状況１、UEが、上り主搬送波のPUSCHを通じてUCIを伝送するよう配置/規定して、それに当面の上りサブフレームの中で、UEの上り主搬送波にPUSCH伝送がある場合、UEが上り主搬送波のPUSCHを通じてUCIを伝送する。この場合、UEのその他の上りメンバー搬送波にPUSCH伝送が同時にある場合、相応な上りメンバー搬送波のPUSCHで上りデータだけを伝送する。
状況２、UEが、上り主搬送波のPUSCHを通じてUCIを伝送するよう配置/規定して、それに当面の上りサブフレームの中で、UEの上り主搬送波にPUSCH伝送がない場合、UEが上り主搬送波でPUCCHを通じてUCIを伝送する。この場合、UEのその他の上りメンバー搬送波にPUSCH伝送も同時にある場合、相応な上りメンバー搬送波のPUSCHが上りデータだけを伝送する。
状況３、UEが上り主搬送波にPUSCH伝送があり、上り主搬送波のPUSCHを通じてUCIを伝送するよう配置/規定し、それに当面の上りサブフレームの中で、UEの上り主搬送波にPUSCH伝送がない場合、UEがPUSCH伝送のある一番小さい搬送波コードの上り補助搬送波のPUSCHを通じてUCIを伝送し、この場合、UEのその他の上りメンバー搬送波にPUSCH伝送も同時に存在する場合、相応な上りメンバー搬送波のPUSCHで上りデータだけを伝送する。
状況４、UEが上り主搬送波以外の一つの上りメンバー搬送波のPUSCHを通じてUCIを伝送するよう配置/規定し、それに当面の上りサブフレームの中で、UEの上りメンバー搬送波にPUSCH伝送がある場合、UEが当該上りメンバー搬送波のPUSCHを通じてUCIを伝送し、この場合、UEのその他の上りメンバー搬送波に同時にPUSCH伝送がある場合、相応な上りメンバー搬送波のPUSCHで上りデータだけ伝送する。
状況５、UEが上り主搬送波以外の一つの上りメンバー搬送波のPUSCHを通じてUCIを伝送するよう配置/規定し、それに当面の上りサブフレームの中で、UEの上りメンバー搬送波にPUSCH伝送がない場合、UEが上り主搬送波でPUCCHを通じてUCIを伝送し、この場合、UEのその他の上りメンバー搬送波に同時にPUSCH伝送がある場合、相応な上りメンバー搬送波のPUSCHで上りデータだけを伝送する。
【００２２】
従来技術と比べると、本発明の実施形態は下記の優位性を持つ。
本発明の実施形態の技術方案の応用を通じて、LTE-A搬送波多重システムの中で、UEが一つの上りサブフレームで複数のPUSCHスケジューリング伝送が存在する場合、UEが一つのPUSCHでUCI伝送する方案を実現し、それにLTE-Aシステムで、一つの上りサブフレームに複数のPUSCH伝送も同時に存在する場合、UEがどのように一つのPUSCHでUCIを伝送するかという問題を解決した。
【００２３】
本発明の実施形態の技術方案を実現するために、本発明の実施形態は一種の端末装置も提供して、その構造図は図5で示したようであり、具体的に下記の構成部分を含む。
予め規定された選択規則又は基地局所から発信した搬送波選択指示情報を受けたことによって、自身の上りメンバー搬送波セットの中から一つの上りメンバー搬送波を選択する選択モジュール51と、
選択モジュール51により選択された上りメンバー搬送波のPUSCHを通じて基地局にUCIを送信する送信モジュール52。
【００２４】
更に、端末装置が基地局と予め選択規則を規定した場合、選択モジュール51は、選択規則によって自身の上りメンバー搬送波セットの中から一つの上りメンバー搬送波を選択する。
その中で、予め規定される選択規則は、端末装置が前記上りメンバー搬送波セットの中から上り主搬送波を優先的に選択するよう規定し、又は、
予め規定される選択規則は、端末装置の上り主搬送波にPUSCH伝送がある場合、端末装置が上りメンバー搬送波セットの中から上り主搬送波を優先的に選択することを規定する。
【００２５】
更に、本端末装置も下記の構成部分を含む。
基地局により高層シグナルで所持した搬送波選択指示情報を受け、又は基地局によりPDCCHシグナルで所持した搬送波選択指示情報を受信する受信モジュール53。
その中で、受信モジュール53により受けた高層シグナルにより所持した搬送波選択指示情報又はPDCCHシグナルで所持した搬送波選択指示情報は、端末装置が上りメンバー搬送波セットの上り主搬送波を優先に選択するよう指示する。
更に指摘したいのは、伝送モジュール52は具体的に、
当面の上りサブフレームで、端末装置の選択モジュール51により選択された上りメンバー搬送波にPUSCH伝送がある場合、伝送モジュール52が選択された上りメンバー搬送波のPUSCHを通じて基地局にUCIを伝送し、それに端末装置のその他の上りメンバー搬送波にPUSCH伝送も同時にある場合、伝送モジュール52がその他の上りメンバー搬送波のPUSCHで上りデータ情報だけを伝送することと、
当面の上りサブフレームで、端末装置の選択モジュール51により選択した上りメンバー搬送波にPUSCH伝送がない場合、伝送モジュール52が上り主搬送波のPUCCHを通じて基地局にUCIを伝送し、それに端末装置のその他の上りメンバー搬送波にPUSCH伝送がある場合、伝送モジュール52が前記その他の上りメンバー搬送波のPUSCHで上りデータ情報だけを伝送すること。
【００２６】
また、本発明の実施形態は一種の基地局も提供し、その構造図は図6に示す通りで、具体的に、
予め規定される選択規則又は端末装置の配置状況及び当面のスケジューリング状況によって、端末装置の上りメンバー搬送波セットの中から一つの上りメンバー搬送波を選択する選択モジュール61と、
選択モジュール61により選択した上りメンバー搬送波のPUSCHを通じて端末装置により伝送したUCIを受信する受信モジュール62。
【００２７】
更に、当基地局が端末装置と予め選択規則を規定した場合、選択モジュール61は、選択規則によって、自身の上りメンバー搬送波セットの中から一つの上りメンバー搬送波を選択する。
その中で、予め規定される選択規則は、基地局が上りメンバー搬送波セットの上り主搬送波を優先的に選択することを規定し、又は、
予め規定される選択規則は、端末装置の上り主搬送波でPUSCH伝送をスケジューリングした場合、基地局が前記上りメンバー搬送波セットの中から上り主搬送波を優先的に選択することを規定する。
【００２８】
更に、本基地局も下記の構成部を含む。
選択モジュール61が端末装置の配置状況と当面のスケジューリング状況によって、端末装置の上りメンバー搬送波セットの中から一つの上りメンバー搬送波を選択した後、高層シグナル又はPDCCHシグナルを通じて端末装置に搬送波選択指示情報を発送し、それに選択モジュール61により選択された結果を端末装置に通知する送信モジュール。
【００２９】
その中で、選択モジュール61は、端末装置の配置状況及び当面のスケジューリング状況によって、優先に端末装置の上りメンバー搬送波セットの中から上り主搬送波を選択し、それに高層シグナル又はPDCCHシグナルの搬送波選択指示情報を端末装置に通知する。
【００３０】
更に指摘したいのは、受信モジュール62が具体的に下記の事項に利用される。
当面の上りサブフレームで、基地局が選択モジュール61により選択した上りメンバー搬送波にPUSCH伝送をスケジューリングした場合、受信モジュール62が選択した上りメンバー搬送波のPUSCHを通じて端末装置により伝送されたUCIを受け、それに、基地局が端末装置のその他の上りメンバー搬送波で同時にPUSCH伝送をスケジューリングした場合、受信モジュール62がその他のメンバー搬送波のPUSCHだけで上りデータ情報を受け取ること、または、
当面の上りサブフレームの中で、基地局が選択モジュール61により選択された上りメンバー搬送波にPUSCH伝送をスケジューリングしていない場合、受信モジュール62が上り主搬送波のPUCCHを通じて端末装置により伝送されたUCIを受け、それに基地局が端末装置のその他の上りメンバー搬送波にPUSCH伝送をスケジューリングした場合、受信モジュール62はその他のメンバー搬送波のPUSCHだけで上りデータ情報を受信すること。
【００３１】
従来技術と比べると、本発明の実施形態は下記の優位性を持つ。
本発明の実施形態の技術方案の応用を通じて、LTE-A搬送波重合システムにおいて、UEが一つの上りサブフレームに複数のPUSCHスケジューリング伝送が存在する場合に、UEが一つのPUSCHでUCI伝送する方案を実現し、それにLTE-Aシステムにおいて、一つの上りサブフレームに複数のPUSCH伝送が同時に存在する場合、UEがどのように一つのPUSCHでUCIを伝送するかという問題を解決した。
【００３２】
前記の説明を通じて、本技術分野の技術者は、ソフトウェアの上に必要な通用ハードウェアのプラットフォームを加える方式で本発明を実現することができることが明確に理解される。勿論、ハードウェアを通じても実現できるが、多くの状況で前者はより良い実施方式である。このような理解に基づいて、本発明の技術方案をソフトウェア製品という形で表すことができ、当該ソフトウェア製品を記憶媒体に記憶させ、若干の指令を含むことで、一台のコンピューター設備（PC、サーバー、ネットワーク設備など）が本発明の各実施形態の前記方法を実行できるようにする。
【００３３】
本技術分野の技術者が理解されるように、添付図は一つの優先的に選択された実施形態の略図だけで、附図のモジュール又はフローは本発明の実施でなくてはならないものとは言えない。
本技術分野の技術者が本実施形態に係る装置のモジュールを理解し、実施形態の説明通りに実施形態に係る装置に配分することができる。また、実際の状況に合わせて実施し、本実施形態と異なる一つあるいは複数の装置に配分することもできる。前記の実施形態のモジュールを一体に合わせても良いし、複数のサブモジュールに分けても良い。
本発明の実施形態に番号をつけるのは、説明の利便性のためであり、実施例としての優劣を意味しない。
以上に記載されたものは本発明の幾つかの具体的な実施形態だけであり、本発明はこれだけには限らず、本技術分野の技術者が想定可能ないかなる変化はすべて本発明の保護範囲に属すべきである。
【００３４】
本出願は、2010年5月24日に中国特許局に提出され、出願番号が201010189258.2で、発明の名称が「UCI情報伝送の配置方法と設備」の中国特許申請の優先権で、その内容の全体は引用により本出願に導入される。
（付記１）
端末装置が、予め規定した選択規則又は基地局からの搬送波選択指示情報を受信することにより、自身の上りメンバー搬送波セットの中から一つの上りメンバー搬送波を選択することと、
前記端末装置が、前記選択した上りメンバー搬送波のPUSCHを通じて、基地局にUCIを送信することと、
を含むことを特徴とする一種のUCI伝送の配置方法。
（付記２）
端末装置が、予め規定した選択規則又は基地局所からの搬送波選択指示情報を受信したことにより、自身の上りメンバー搬送波セットの中から一つの上りメンバー搬送波を選択することであるが、具体的には、
端末装置と基地局は予め選択規則を規定した場合、端末装置が選択規則により自身の上りメンバー搬送波セットの中から一つの上りメンバー搬送波を選択すること、又は、
前記端末装置が、基地局所から送信された高層シグナル所持の搬送波選択指示情報に基づいて、自身の上りメンバー搬送波セットの中から一つの上りメンバー搬送波を選択すること、又は、
前記端末装置が、受信したPDCCHシグナル所持の搬送波選択指示情報により、自身の上りメンバー搬送波セットの中から一つの上りメンバー搬送波を選択すること、
を含むことを特徴とする付記1記載の方法。
（付記３）
予め規定される選択規則が、端末装置が前記上りメンバー搬送波セットの中から上り主搬送波選択を優先的に選択することを規定すること、又は、
予め規定される選択規則が、端末装置の上り主搬送波にPUSCH伝送がある場合、端末装置が上りメンバー搬送波セットの中から上り主搬送波を優先的に選択するように規定する、又は、
高層シグナル所持の搬送波選択指示情報又はPDCCHシグナル所持の搬送波選択指示情報が、端末装置が上りメンバー搬送波セットの中から上り主搬送波を優先的に選択するように指示すること、
を特徴とする付記2記載の方法。
（付記４）
前記端末装置により選択された上りメンバー搬送波のPUSCHを通じて、基地局にUCIを伝送するが、具体的に、
当面の上りサブフレームで、端末装置の選択された上りメンバー搬送波にPUSCH伝送がある場合、端末装置が選択された上りメンバー搬送波のPUSCHを通じて基地局にUCIを伝送し、それに端末装置のその他の上りメンバー搬送波に同時にPUSCH伝送がある場合、端末装置がその他の上りメンバー搬送波のPUSCHで、上りデータ情報だけ送信することと、
当面の上りサブフレームで、端末装置の選択された上りメンバー搬送波にPUSCH伝送が存在しない場合、端末装置が上り主搬送波のPUCCHを通じて基地局にUCIを伝送し、それに端末装置のその他の上りメンバー搬送波にPUSCH伝送がある場合、端末装置がその他の上りメンバー搬送波のPUSCHで、上りデータ情報だけを伝送することと、
を特徴とする付記1記載の方法。
（付記５）
予め規定した選択規則又は基地局所からの搬送波選択指示情報を受信することにより、自身の上りメンバー搬送波セットの中から一つの上りメンバー搬送波を選択する選択モジュールと、
前記選択モジュールにより選択された上りメンバー搬送波のPUSCHを通じて基地局にUCIを伝送する伝送モジュールを含むこと、
を特徴とする一種の端末装置。
（付記６）
基地局により高層シグナルで所持した搬送波選択指示情報を受信すること、又は、基地局によりPDCCHシグナルで所持した搬送波選択指示情報を受信する受信モジュールを含むこと、
を特徴とする付記5記載の端末装置。
（付記７）
受信モジュールにより受けた高層シグナルで携帯した搬送波選択指示情報、又は、PDCCHシグナルで携帯した搬送波選択指示情報が端末装置に選択された上りメンバー搬送波セットの上り主搬送波を優先的に指示すること、
を特徴とする付記6記載の端末装置。
（付記８）
前記選択モジュールは、具体的に、
端末装置が基地局と予め選択規則を規定した場合、選択モジュールが選択規則に従って自身の上りメンバー搬送波セットの中から一つの上りメンバー搬送波を選択すること、
を特徴とする付記5記載の端末装置。
（付記９）
前記予め規定される選択規則が、端末装置から上りメンバー搬送波セットの中から上り主搬送波を優先的に選択することを規定すること、又は、
前記予め規定される選択規則が、端末装置の上り主搬送波にPUSCH伝送がある場合、端末装置が上りメンバー搬送波セットの中から上り主搬送波を優先的に選択することを規定すること、
を特徴とする付記8記載の端末装置。
（付記１０）
前記伝送モジュールは、
当面の上りサブフレームで、端末装置の選択モジュールにより選択された上りメンバー搬送波にPUSCH伝送がある場合、伝送モジュールが選択した上りメンバー搬送波のPUSCHを通じて基地局にUCIを伝送し、それに端末装置のその他の上りメンバー搬送波にも同じくPUSCH伝送がある場合、伝送モジュールがその他の上りメンバー搬送波のPUSCHで上りデータ情報だけを伝送することと、
当面の上りサブフレームで、端末装置の選択モジュールにより選択した上りメンバー搬送波にPUSCH伝送がない場合、伝送モジュールが上り主搬送波のPUCCHを通じて基地局にUCIを伝送し、それに端末装置のその他の上りメンバー搬送波にPUSCH伝送がある場合、伝送モジュールがその他の上りメンバー搬送波のPUSCHで上りデータ情報だけを伝送することと、
を特徴とする付記5記載の端末装置。
（付記１１）
基地局が予め規定した選択規則又は端末装置の配置状況と当面のスケジューリング状況によって、前記端末装置の上りメンバー搬送波セットの中から一つの上りメンバー搬送波を選択することと、
前記基地局が選択した上りメンバー搬送波のPUSCHを通じて端末装置により伝送されたUCIを受けることと、
を含むことを特徴とする一種のUCI伝送の配置方法。
（付記１２）
前記基地局が予め規定された選択規則又は端末装置の配置状況と当面のスケジューリング状況によって、端末装置の上りメンバー搬送波セットで一つの上りメンバー搬送波を選択するが、具体的に、
基地局が端末装置と予め選択規則を規定した場合、基地局が選択規則により端末装置の上りメンバー搬送波セットの中から一つの上りメンバー搬送波を選択すること、又は、
基地局が端末装置の配置状況と当面のスケジューリング状況によって、端末装置の上りメンバー搬送波セットの中から一つの上りメンバー搬送波を選択し、それに高層シグナルを通じて端末装置に搬送波選択指示情報を発送して、選択した結果を端末装置に通知すること、又は、
基地局が端末装置の配置状況と当面のスケジューリング状況によって、端末装置の上りメンバー搬送波セットの中から一つの上りメンバー搬送波を選択し、それにPDCCHを通じて端末装置に搬送波選択指示情報を発送して、選択した結果を端末装置に通知すること、
を含むことを特徴とする付記11記載の方法。
（付記１３）
前記予め規定される選択規則が、基地局から上りメンバー搬送波セットの中から上り主搬送波を優先的に選択することを規定すること、又は、
前記予め規定される選択規則が、基地局から前記端末装置の上り主搬送波にPUSCH伝送をスケジューリングした場合、基地局が上りメンバー搬送波セットの中から上り主搬送波を優先的に選択することを規定すること、又は、
前記基地局が端末装置の配置状況と当面のスケジューリング状況によって、優先的に端末装置の上りメンバー搬送波セットの中から上り主搬送波を選択し、それに高層シグナル又はPDCCHシグナルの搬送波選択指示情報を通じて端末装置に通知すること、
を特徴とする付記12記載の方法。
（付記１４）
前記基地局が選択した上りメンバー搬送波のPUSCHを通じて端末装置により伝送されたUCIを受けることで、具体的に、
当面の上りサブフレームで、基地局が選択した上りメンバー搬送波にPUSCH伝送をスケジューリングした場合、基地局が選択した上りメンバー搬送波のPUSCHを通じて端末装置伝送のUCIを受け、それに基地局が端末装置のその他の上りメンバー搬送波に同じくPUSCH伝送をスケジューリングした場合、基地局は、その他の上りメンバー搬送波のPUSCHだけで上りデータ情報を受信すること、又は、
当面の上りサブフレームで、基地局が選択した上りメンバー搬送波でPUSCH伝送をスケジューリングしていない場合、基地局が上り主搬送波のPUCCHを通じて端末装置伝送のUCIを受け、それに基地局が端末装置のその他の上りメンバー搬送波でPUSCH伝送をスケジューリングした場合、基地局が、その他の上りメンバー搬送波のPUSCHだけで上りデータ情報を受けること、
を特徴とする付記11記載の方法。
（付記１５）
予め規定した選択規則又は端末装置の配置状況及び当面のスケジューリング状況によって、前記端末装置の上りメンバー搬送波セットの中から一つの上りメンバー搬送波を選択する選択モジュールと、
前記選択モジュールにより選択した上りメンバー搬送波のPUSCHを通じて端末装置により伝送されたUCIを受信する受信モジュールと、
を含むことを特徴とする一種の基地局
（付記１６）
前記選択モジュールが、端末装置の配置状況と当面のスケジューリング状況によって、端末装置の上りメンバー搬送波セットの中から一つの上りメンバー搬送波を選択した後、高層シグナル又はPDCCHシグナルを通じて端末装置に搬送波選択指示情報を発送し、選択モジュールにより選択された結果を端末装置に通知する送信モジュールを含むことを特徴とする付記15記載の基地局。
（付記１７）
前記選択モジュールが、端末装置の配置状況と当面のスケジューリング状況によって、端末装置が上りメンバー搬送波セットの中から上り主搬送波を優先的に選択し、高層シグナル又はPDCCHシグナルの搬送波選択指示情報を通じて端末装置に通知することを特徴とする付記16記載の基地局。
（付記１８）
前記選択モジュールが、具体的に、
基地局が端末装置と予め選択規則を規定した場合に、選択モジュールが選択規則によって自身の上りメンバー搬送波セットの中から一つの上りメンバー搬送波を選択すること、
を特徴とする付記15記載の基地局。
（付記１９）
前記予め規定した選択規則が、基地局から上りメンバー搬送波セットの中から上り主搬送波を優先的に選択することを規定すること、または、
前記予め規定した選択規則が、基地局から端末装置の上り主搬送波でPUSCH伝送をスケジューリングした場合、基地局が上りメンバー搬送波セット中から上り主搬送波を選択することを規定すること、
を特徴とする付記18記載の基地局。
（付記２０）
前記受信モジュールが具体的に、
当面の上りサブフレームで、基地局が選択モジュールにより選択した上りメンバー搬送波にPUSCH伝送をスケジューリングした場合、受信モジュールが選択した上りメンバー搬送波のPUSCHを通じて端末装置により伝送したUCIを受信し、それに基地局が端末装置のその他の上りメンバー搬送波で同じくPUSCH伝送をスケジューリングした場合、受信モジュールがその他のメンバー搬送波のPUSCHだけで上りデータ情報を受信すること、又は、
当面の上りサブフレームの中で、基地局が選択モジュールにより選択した上りメンバー搬送波にPUSCH伝送をスケジューリングしていない場合、受信モジュールが上り主搬送波のPUCCHを通じて端末装置により伝送したUCIを受け、それに基地局が端末装置のその他の上りメンバー搬送波にPUSCH伝送をスケジューリングした場合、受信モジュールはその他のメンバー搬送波のPUSCHだけで上りデータ情報を受信すること、
を特徴とする付記15記載の基地局。
【図１】
0005566531.tif 000002
【図２】
0005566531.tif 000003
【図３】
0005566531.tif 000004
【図４】
0005566531.tif 000005
【図５】
0005566531.tif 000006
【図６】
0005566531.tif 000007